(57)【要約】【課題】騒音を生じさせることなく外気を導入できるようにしてなる外気導入装置を備えた空気調和機を提供する。【解決手段】壁面Ｂに壁孔Ｃを、据付板２に前記壁孔Ｃに対応する連通孔２ａを、後部熱交換器１１の風上側となるベース６の背面に前記連通孔２ａに対応する吸気孔６ａを夫々設け、前記連通孔２ａの周縁に、前記壁孔Ｃを挿通してダクト１４の一端に接続される接続部Ｄを備えたダクトフランジ１５を取り付け、前記吸気孔６ａと前記後部熱交換器１１との間に、同後部熱交換器１１に連なるように開放して前記ダクト１４により導入された外気を前記後部熱交換器１１へ導くディフューザ２３を、前記ダクト１４の他端に開口面積を拡開させる拡開部１７を備えたノズル１８を夫々設け、前記ノズル１８に外気を導入する補助ファン１９を設けると共に、前記ディフューザ１３の側面に開口面積を調整する調整手段を備えた開口部を設けた。【選択図】  図１
2004286305.tif 000002
【特許請求の範囲】
【請求項１】
被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に前記連通孔に対応する吸気孔を夫々設け、前記連通孔の周縁に、前記壁孔を挿通してダクトの一端に接続される接続部を備えたダクトフランジを取り付け、前記吸気孔と前記後部熱交換器との間に、同後部熱交換器に連なるように開放して前記ダクトにより導入された外気を前記後部熱交換器へ導くディフューザを、前記ダクトの他端に開口面積を拡開させる拡開部を備えたノズルを夫々設け、前記ノズルに外気を導入する補助ファンを設けると共に、前記ディフューザの側面に開口面積を調整する調整手段を備えた開口部を設けてなることを特徴とする空気調和機。
【請求項２】
前記開口部が、前記ディフューザの両側面に設けられてなることを特徴とする請求項１に記載の空気調和機。
【請求項３】
前記調整手段が、前記開口部にスライド自在に設けられたスライド板からなることを特徴とする請求項１または請求項２に記載の空気調和機。
【請求項４】
前記調整手段が、前記開口部に着脱可能に添設され、少なくとも同開口部の一部を閉塞するシール部材からなることを特徴とする請求項１または請求項２に記載の空気調和機。
【請求項５】
前記調整手段が、前記開口部の周縁に設けられた支軸部により回動自在に軸支された回動板からなることを特徴とする請求項１または請求項２に記載の空気調和機。
【請求項６】
前記ダクトに、その一部を拡径させた拡径部が設けられてなることを特徴とする請求項１に記載の空気調和機。
【請求項７】
前記ダクト内に消音部材が貼着されてなることを特徴とする請求項１に記載の空気調和機。
【請求項８】
前記ダクトにエルボ部が折曲形成されてなることを特徴とする請求項１に記載の空気調和機。
【請求項９】
前記ダクトが蛇腹状のフレキシブルダクトからなることを特徴とする請求項１に記載の空気調和機。
【請求項１０】
前記ダクトに穿孔が設けられてなることを特徴とする請求項１に記載の空気調和機。
【請求項１１】
前記ダクトフランジに、その一部を拡径させた拡径部が設けられてなることを特徴とする請求項１に記載の空気調和機。
【請求項１２】
前記ダクトフランジ内に消音部材が貼着されてなることを特徴とする請求項１に記載の空気調和機。
【請求項１３】
前記ノズル内に消音部材が貼着されてなることを特徴とする請求項１に記載の空気調和機。
【発明の詳細な説明】
【０００１】
【発明の属する技術分野】
本発明は、空気調和機に係わり、より詳細には、騒音を生じさせることなく外気を導入できるようにしてなる外気導入装置の構造に関する。
【０００２】
【従来の技術】
従来の外気導入装置を備えた空調機器として、室温の制御と本体に外気を導入する制御とを関連づけることで本体の運転中に室内の空気の換気が行なえ、且つ室温の制御が効率的に行なえるものを提供するため、換気用ファンによって本体内部に吸い込まれた外気がクロスフローファンにより本体の空気吹出口から吹き出されるので室内の換気が行なえ、また、クロスフローファンの回転速度や室温と設定温度との差に応じて、換気用ファンの回転速度を制御することで、室温の制御と本体に外気を導入する制御とを関連づけているものがあり、外気を導入する換気ダクトの開口部近傍に換気用ファンを備えた構成が図示されていた（例えば、特許文献１参照。）。
【０００３】
しかしながら、上記空調機器の外気導入装置においては、換気用ファンおよびクロスフローファンにより外気を吸い込んで換気ダクトにより本体内に導入する際、この換気ダクトには外気の流通に伴って生じる騒音を低減させることができるように構成されていないため、騒音によって使用者に不快感を与えてしまうおそれがあった。
【０００４】
【特許文献１】
特開２００２−１１５８８８号公報（第１頁〜第２頁、第２図）
【０００５】
【発明が解決しようとする課題】
本発明においては、上記の問題点に鑑み、騒音を生じさせることなく外気を導入できるようにしてなる外気導入装置を備えた空気調和機を提供することを目的とする。
【０００６】
【課題を解決するための手段】
本発明は、上記課題を解決するため、被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に前記連通孔に対応する吸気孔を夫々設け、前記連通孔の周縁に、前記壁孔を挿通してダクトの一端に接続される接続部を備えたダクトフランジを取り付け、前記吸気孔と前記後部熱交換器との間に、同後部熱交換器に連なるように開放して前記ダクトにより導入された外気を前記後部熱交換器へ導くディフューザを、前記ダクトの他端に開口面積を拡開させる拡開部を備えたノズルを夫々設け、前記ノズルに外気を導入する補助ファンを設けると共に、前記ディフューザの側面に開口面積を調整する調整手段を備えた開口部を設けてなる構成となっている。
【０００７】
また、前記開口部が、前記ディフューザの両側面に設けられてなる構成となっている。
【０００８】
また、前記調整手段が、前記開口部にスライド自在に設けられたスライド板からなる構成となっている。
【０００９】
また、前記調整手段が、前記開口部に着脱可能に添設され、少なくとも同開口部の一部を閉塞するシール部材からなる構成となっている。
【００１０】
また、前記調整手段が、前記開口部の周縁に設けられた支軸部により回動自在に軸支された回動板からなる構成となっている。
【００１１】
また、前記ダクトに、その一部を拡径させた拡径部が設けられてなる構成となっている。
【００１２】
また、前記ダクト内に消音部材が貼着されてなる構成となっている。
【００１３】
また、前記ダクトにエルボ部が折曲形成されてなる構成となっている。
【００１４】
また、前記ダクトが蛇腹状のフレキシブルダクトからなる構成となっている。
【００１５】
また、前記ダクトに穿孔が設けられてなる構成となっている。
【００１６】
また、前記ダクトフランジに、その一部を拡径させた拡径部が設けられてなる構成となっている。
【００１７】
また、前記ダクトフランジ内に消音部材が貼着されてなる構成となっている。
【００１８】
更に、前記ノズル内に消音部材が貼着されてなる構成となっている。
【００１９】
【発明の実施の形態】
以下、本発明の実施の形態を図面に基づいた実施例として詳細に説明する。
図１は本発明による空気調和機の説明図で、（Ａ）は断面図、（Ｂ）は要部断面図であり、図２は本発明による空気調和機の要部説明図で、（Ａ）は断面図、（Ｂ）は斜視図であり、図３は本発明による空気調和機の要部斜視図で、（Ａ）はディフューザの斜視図、（Ｂ）はディフューザの係止爪および後部熱交換器のフィンの斜視図であり、図４は本発明による空気調和機の要部説明図で、（Ａ）はディフューザの第一の実施例を示す斜視図、（Ｂ）は第二の実施例を示す斜視図、（Ｃ）は第三の実施例を示す斜視図であり、図５は消音手段を示す要部説明図で、（Ａ１）および（Ａ２）は第一の消音手段を示し、（Ｂ１）および（Ｂ２）は第二の消音手段を示す。
【００２０】
本発明による空気調和機は、図で示すように、被空調室の壁面Ｂにねじ締めされることによって固着され、上端部に断面略Ｌ字状の係止爪１を備えた据付板２により本体Ａが据付設置されるようになっている。
【００２１】
前記本体Ａは、背面上部に前記据付板２の係止爪１に係脱可能に係止される係止部３を備え、背面下部に接続配管４を収容する収容部５を備えたベース６と、同ベース６の前部に装着され、上部に吸込口７を備え下部に吹出口８を備えた前面パネル９と、前記吸込口７と前記吹出口８とを結ぶ空気通路に設けられ、前部熱交換器１０と後部熱交換器１１とで逆Ｖ字状に形成された熱交換器１２と、送風ファン１３とからなる構成になっている。
【００２２】
そして、前記壁面Ｂには壁孔Ｃが設けられ、前記据付板２には前記壁孔Ｃに対応する連通孔２ａが設けられ、前記後部熱交換器１１の風上側となる前記ベース６の背面には、前記連通孔２ａに対応する吸気孔６ａが設けられ、ねじ孔を備えた前記連通孔２ａの周縁には、前記壁孔Ｃを挿通してダクト１４の一端に接続される接続部を備えたダクトフランジ１５がねじ締めされることによって取り付けられている。
【００２３】
同時に、前記据付板２および前記ベース６の間には、前記連通孔２ａおよび前記吸気孔６ａを連通した状態でシールするシール部材１６が介装されるように構成されている。
【００２４】
また、前記ダクト１４の他端には、開口面積を拡開させる拡開部１７を備えたノズル１８が設けられ、同ノズル１８の拡開部１７には外気導入用の補助ファン１９が設けられ、開口部には集塵用のフィルタ２４およびファンガード２５が設けられ、前記吸気孔６ａと前記後部熱交換器１１との間には、一端に前記吸気孔６ａに接続される接続口２０を備え、他端に同接続口２０よりも大径で形成された前記後部熱交換器１１に連通する連通口２１を備えると共に、同連通口２１には同後部熱交換器１１の伝熱管１１ａ  に係止する係止爪２２を一体に形成したディフューザ２３が設けられた構成になっている。
【００２５】
前記係止爪２２は、図１（Ａ）および図１（Ｂ）と、図３（Ａ）とで示すように、前記後部熱交換器１１に対し前記ディフューザ２３を上方から組み付けて前記伝熱管１１ａ  に係止されるように形成されているので、前記ベース６に設けた吸気孔６ａと前記後部熱交換器１１との間に、前記ディフューザ２３を容易に、且つ正確に取り付けることができるようになっている。
【００２６】
また、前記係止爪２２は、図３（Ｂ）で示すように、前記後部熱交換器１１を構成するフィン１１ｂ  間に嵌入されることによってガタツキが生じなくなり、前記伝熱管１１ａ  に対し正確に、且つ強固に係止されるようになっている。
【００２７】
これにより、前記ノズル１８から外気を導入する際、同ノズル１８の開口部に前記フィルタ２４および前記ファンガード２５が設けられていても、同ノズル１８は前記拡開部１７を備えることにより開口面積が拡開されていることから、外気の吸込量を減少させないよう効果的に導入できるようになると共に、前記ダクト１４を経て導き入れた外気を前記ディフューザ２３から前記後部熱交換器１１へ効率よく流通させることができるようになっている。
【００２８】
また、前記ノズル１８が前記拡開部１７を備えることによって開口面積が拡開されたことにより、該箇所に前記補助ファン１９を取り付けやすくした構造になっており、同補助ファン１９を起動することによって、図１（Ａ）で示す矢印のように、外気を前記ノズル１８から前記ダクト１４を経て前記ディフューザ２３に導き入れることができる。
【００２９】
なお、前記補助ファン１９は、図示はしないが前記ダクト１４、前記ダクトフランジ１５もしくは前記ディフューザ２３の何れかに設けるようにしてもよい。
【００３０】
そして、前記ディフューザ２３の両側面には、開口面積を調整する調整手段を備えた開口部２３ａ  が設けられた構成になっており、同開口部２３ａ  を同調整手段によって全開、半開または全閉することにより、前記補助ファン１９を起動することによって、外気が前記ノズル１８から前記ダクト１４を経て前記ディフューザ２３へ導入された際、前記後部熱交換器１１に向けて効率よく流通させることができるように調整できるので、外気の流通に伴って生じる騒音を低減させることができるようになり、騒音によって使用者に不快感を与えてしまうおそれがなくなる。
【００３１】
以上の構成により、次にその動作について説明する。
前記ディフューザ２３の開口部２３ａ  に設けられた開口面積を調整するための調整手段を、第一の実施例として図４（Ａ）で示すように、上下にスライド自在に設けられたスライド板２６からなる構成にすることにより、前記開口部２３ａ  の開口面積を外気の流通量に対応して騒音を生じさせないように適宜調整できる。
【００３２】
また、前記調整手段を、第二の実施例として図４（Ｂ）で示すように、前記開口部２３ａ  に着脱可能に添設され、少なくとも同開口部２３ａ  の一部を閉塞するシール部材２７からなる構成にすることにより、同シール部材２７の大きさを変えることで、前記開口部２３ａ  の開口面積を外気の流通量に対応して騒音を生じさせないように適宜調整してもよい。
【００３３】
または、前記調整手段を、第三の実施例として図４（Ｃ）で示すように、前記開口部２３ａ  の上部周縁に設けられた支軸部２８ａ  により回動自在に軸支された回動板２８からなる構成にして、同回動板２８の開閉度によって前記開口部２３ａ  の開口面積を適宜調整してもよい。
【００３４】
これらによって、上記説明のとおり、外気が前記ノズル１８から前記ダクト１４を経て前記ディフューザ２３へ導入された際、前記後部熱交換器１１に向けて効率よく流通させることができるようになるので、外気の流通に伴って生じる騒音を低減させることができるようになる。
【００３５】
また、図５（Ａ１）および図５（Ａ２）により比較して示すように、前記ダクトフランジ１５または前記ダクト１４に、それらの一部（ａ部）を夫々拡径させた拡径部１５ａ  または１４ａ  が設けられてなる構成にして、外気の流通に伴って生じる騒音を前記拡径部１５ａ  または１４ａ  で乱反射させることにより低減させて消音できるようになる。
【００３６】
または、図５（Ｂ１）および図５（Ｂ２）により比較して示すように、前記ダクト内１４または前記ダクトフランジ１５内に消音部材２９が貼着されてなる構成にして、外気の流通に伴って生じる騒音の周波数成分を前記消音部材２９で消すことにより効果的に低減させて消音できるようになる。
【００３７】
同様に、図示はしないが前記ノズル１８内に前記消音部材２９が貼着されてなる構成にして、外気の流通に伴って生じる騒音の周波数成分を前記消音部材２９で消すことにより効果的に低減させて消音できる。
【００３８】
前記ノズル１８では外気の流通路が絞られるため、音が最も乱反射しやすくなって騒音の発生源になりやすいのでノズル形状を工夫する必要があると考えられるが、それにも増して、前記消音部材２９が貼着された構成にすることで、より効果的に騒音の発生を防止できる。
【００３９】
また、図５（Ｃ）で示すように、前記ダクト１４に消音用のエルボ部１４ｂ  が折曲形成されることにより、また、前記ダクト１４に穿孔１４ｃ  が設けられてなる構成にすることにより、上記と同様に、外気の流通に伴って生じる騒音の周波数成分を効果的に低減させて消音できるようになる。
【００４０】
なお、前記ダクト１４は、蛇腹状のフレキシブルダクトからなる構成にすることにより、屋外の所定の位置への引き回しのための作業を容易に行なえるようになり、また、前記エルボ部１４ｂ  を容易に形成できるようになる。
【００４１】
【発明の効果】
以上説明したように、本発明によれば、騒音を生じさせることなく外気を導入できるようにしてなる外気導入装置を備えた空気調和機となる。
【図面の簡単な説明】
【図１】本発明による空気調和機の説明図で、（Ａ）は断面図であり、（Ｂ）は要部断面図である。
【図２】本発明による空気調和機の要部説明図で、（Ａ）は断面図であり、（Ｂ）は斜視図である。
【図３】本発明による空気調和機の要部斜視図で、（Ａ）はディフューザの斜視図であり、（Ｂ）はディフューザの係止爪および後部熱交換器のフィンの斜視図である。
【図４】本発明による空気調和機の要部説明図で、（Ａ）はディフューザの第一の実施例を示す斜視図であり、（Ｂ）は第二の実施例を示す斜視図であり、（Ｃ）は第三の実施例を示す斜視図である。
【図５】本発明による空気調和機の消音手段を示す要部説明図で、（Ａ１）および（Ａ２）は第一の消音手段を示し、（Ｂ１）および（Ｂ２）は第二の消音手段を示す。
【符号の説明】
１  係止爪
２  据付板
２ａ  連通孔
３  係止部
４  接続配管
５  収容部
６  ベース
６ａ  吸気孔
７  吸込口
８  吹出口
９  前面パネル
１０  前部熱交換器
１１  後部熱交換器
１１ａ  伝熱管
１１ｂ  フィン
１２  熱交換器
１３  送風ファン
１４  ダクト
１４ａ  拡径部
１４ｂ  エルボ部
１４ｃ  穿孔
１５  ダクトフランジ
１５ａ  拡径部
１６  シール部材
１７  拡開部
１８  ノズル
１９  補助ファン
２０  接続口
２１  連通口
２２  係止爪
２３  ディフューザ
２３ａ  開口部
２４  フィルタ
２５  ファンガード
２６  スライド板
２７  シール部材
２８  回動板
２８ａ  支軸部
２９  消音部材
Ａ  本体
Ｂ  壁面
Ｃ  壁孔
【図１】
2004286305.tif 000003
【図２】
2004286305.tif 000004
【図３】
2004286305.tif 000005
【図４】
2004286305.tif 000006
【図５】
2004286305.tif 000007